(57)【要約】【課題】吸収性物品を製造する際の廃棄物の量を削減する。【解決手段】吸収性物品１は、バックシート部材、および、バックシート部材上に重ねられて外縁部がバックシート部材に接合される吸収性シート部材２０を備える。吸収性シート部材２０は、長手方向に間隔を空けて配列されるシート状の２つの吸収体２２１，２２３、並びに、吸収体２２１，２２３を被覆する透液性の吸収体被覆シートを備える。吸収体被覆シートの吸収体２２１と吸収体２２３との間には、長手方向に交差する切り込み２５０が形成される。２つの吸収体２２１，２２３において上記間隔を形成する２つの吸収体エッジ２２１１，２２３１は、吸収体２２１と吸収体２２３とを近づけた際に互いに一致する。したがって、吸収体連続シートから切断して廃棄する部分を設けることなく、吸収体２２１，２２３が形成され、吸収性物品１を製造する際の廃棄物の量を削減することができる。【選択図】図１
2013123523.tif 000002
【特許請求の範囲】
【請求項１】
着用者からの排泄物を受ける吸収性物品であって、
バックシート部材と、
前記バックシート部材上に重ねられて前記バックシート部材に外縁部が接合される吸収性シート部材と、
前記吸収性シート部材の左右両側部上において長手方向に伸び、弾性部材が長手方向に沿ってそれぞれ接合される一対の起立ギャザー部と、
を備え、
前記吸収性シート部材が、
前記長手方向に間隔を空けて配列されるシート状の２つの吸収体と、
前記２つの吸収体を被覆する透液性の吸収体被覆シートと、
を備え、
前記吸収体被覆シートの前記２つの吸収体の間に、前記長手方向に交差する切り込みが形成されており、
前記２つの吸収体において前記間隔を形成する２つのエッジが、前記２つの吸収体を近づけた際に互いに一致することを特徴とする吸収性物品。
【請求項２】
請求項１に記載の吸収性物品であって、
前記２つのエッジが、着用者の後側に対応する後方向に上側を向けた略Ｕ字状の部位を有し、
前記切り込みが、前記後方向に上側を向けた略Ｕ字状であることを特徴とする吸収性物品。
【請求項３】
請求項２に記載の吸収性物品であって、
前記吸収性シート部材の両側部上に一対のサイドシートが配置され、
前記一対の起立ギャザー部のそれぞれがサイドシートの一部であり、
前記切り込みに囲まれた前記吸収性シート部材の部位が、前記一対のサイドシートと部分的に重なることを特徴とする吸収性物品。
【発明の詳細な説明】
【技術分野】
【０００１】
本発明は、着用者からの排泄物を受ける吸収性物品に関する。
【背景技術】
【０００２】
従来より、使い捨ておむつ等の吸収性物品では、水分を多く含む軟便が排泄された場合に、軟便が着用者と吸収性物品との間で広がって着用者の肌に広範囲に亘って付着することを防止するため、様々な提案が行われている。例えば、特許文献１の吸収性物品では、着用者の腹側および背側に前部吸収コアおよび後部吸収コアが配置され、前部吸収コアおよび後部吸収コアとバックシートとの間に前部ポケットおよび後部ポケットが形成される。そして、これらのポケットに軟便等の排泄物が収容されることにより、排泄物が着用者の肌に広範囲に亘って付着することが防止される。
【先行技術文献】
【特許文献】
【０００３】
【特許文献１】特開２００９−１２５２００号公報
【発明の概要】
【発明が解決しようとする課題】
【０００４】
ところで、特許文献１の吸収性物品では、前部吸収コアおよび後部吸収コアの上面および下面がトップシートに被覆されており、当該トップシートには、前部吸収コアと後部吸収コアとの間にて着用者の股間部に対向する開口が形成される。当該開口は、吸収性物品の製造時に、透液性の不織布により形成されたトップシートのおよそ中央部を切除することにより形成され、切除された不織布は、他の目的に利用されることなく廃棄物として廃棄される。一般に、吸収性物品の製造現場では多数の吸収性物品を製造するため、上述の切除された不織布を含む大量の廃棄物が排出される。
【０００５】
本発明は、上記課題に鑑みなされたものであり、吸収性物品を製造する際の廃棄物の量を削減することを主な目的としている。
【課題を解決するための手段】
【０００６】
請求項１に記載の発明は、着用者からの排泄物を受ける吸収性物品であって、バックシート部材と、前記バックシート部材上に重ねられて前記バックシート部材に外縁部が接合される吸収性シート部材と、前記吸収性シート部材の左右両側部上において長手方向に伸び、弾性部材が長手方向に沿ってそれぞれ接合される一対の起立ギャザー部とを備え、前記吸収性シート部材が、前記長手方向に間隔を空けて配列されるシート状の２つの吸収体と、前記２つの吸収体を被覆する透液性の吸収体被覆シートとを備え、前記吸収体被覆シートの前記２つの吸収体の間に、前記長手方向に交差する切り込みが形成されており、前記２つの吸収体において前記間隔を形成する２つのエッジが、前記２つの吸収体を近づけた際に互いに一致する。
【０００７】
請求項２に記載の発明は、請求項１に記載の吸収性物品であって、前記２つのエッジが、着用者の後側に対応する後方向に上側を向けた略Ｕ字状の部位を有し、前記切り込みが、前記後方向に上側を向けた略Ｕ字状である。
【０００８】
請求項３に記載の発明は、請求項２に記載の吸収性物品であって、前記吸収性シート部材の両側部上に一対のサイドシートが配置され、前記一対の起立ギャザー部のそれぞれがサイドシートの一部であり、前記切り込みに囲まれた前記吸収性シート部材の部位が、前記一対のサイドシートと部分的に重なる。
【発明の効果】
【０００９】
本発明では、吸収性物品を製造する際の廃棄物の量を削減することができる。
【図面の簡単な説明】
【００１０】
【図１】吸収性物品の平面図である。
【図２】吸収性物品の断面図である。
【図３】吸収性物品の断面図である。
【図４】開口が形成された状態の吸収性物品の平面図である。
【発明を実施するための形態】
【００１１】
図１は、本発明の一の実施の形態に係る吸収性物品１を長手方向（すなわち、図１中の上下方向）に広げた状態にて示す平面図である。吸収性物品１は、着用者が着用する外装物品である使い捨ておむつ等の内側に取り付けられ、着用者からの軟便等の排泄物を受ける補助吸収具である。図１では、着用者に接する面（すなわち、着用者側）を手前側にして吸収性物品１を描いている。
【００１２】
図１に示すように、吸収性物品１は、平面視においていわゆる砂時計型である略シート状の本体部２、および、本体部２の長手方向に垂直な左右方向（本体部２の幅方向であり、図１中の左右方向に一致する。）の両側において長手方向のおよそ全長に亘って設けられた一対のサイドシート３を備える。
【００１３】
本体部２の図１中における上側の部位２０１および下側の部位２０３はそれぞれ、着用者の腹側および背側の肌に接する部位であり、以下の説明では、「前方部２０１」および「後方部２０３」と呼ぶ。また、前方部２０１と後方部２０３との間において前方部２０１および後方部２０３から連続するとともに着用者の股間部に対向する部位２０２を「中間部２０２」と呼ぶ。
【００１４】
図２は、吸収性物品１を、図１中に示すＡ−Ａの位置にて、吸収性物品１の長手方向（すなわち、図１中の上下方向）に垂直な面で切断した断面図であり、図３は、吸収性物品１をＢ−Ｂの位置にて吸収性物品１の左右方向に垂直な面で切断した断面図である。なお、吸収性物品１では、後方部２０３の構造は前方部２０１の構造とほぼ同様であり（ただし、後述の弾性部材２４１は設けられない。）、後方部２０３の長手方向に垂直な断面図は図２と同様である。
【００１５】
図１および図２に示すように、一対のサイドシート３はそれぞれ、本体部２の左右両側部上に接合される帯状の固定部３３、固定部３３に連続するとともに少なくとも一部が起立するギャザー部３４、および、ギャザー部３４に長手方向に沿って接合される起立ギャザー部弾性部材３２（１つまたは複数の弾性要素にて構成される。後述の前部吸収体弾性部材２４１および側部吸収体弾性部材２４２において同様。）を備える。サイドシート３は、疎水性繊維（例えば、ポリプロピレン、ポリエチレン、ポリエステル、ポリアミド、ナイロン）にて形成された撥水性または不透液性の不織布（例えば、スパンボンド不織布やメルトブロー不織布、ＳＭＳ（スパンボンド・メルトブロー・スパンボンド）不織布）を、長手方向に伸びる折り曲げ線にて２つ折りにし、折り重ねられた２つの部位の間に起立ギャザー部弾性部材３２を挟むことにより形成される。起立ギャザー部弾性部材３２（の弾性要素）としては、例えば、ポリウレタン糸、帯状のポリウレタンフィルム、糸状または帯状の天然ゴム等が用いられ、本実施の形態ではポリウレタン糸が利用される。
【００１６】
ギャザー部３４は、長手方向の両端部にて本体部２上に接合される。吸収性物品１では、起立ギャザー部弾性部材３２が収縮することにより、ギャザー部３４の長手方向の両端部を除く部位３４１（以下、「起立ギャザー部３４１」という。）が、図２に示すように、本体部２の側方において着用者側に向かって起立し、着用時に着用者の足の付け根近傍に当接する立体ギャザーが形成される。
【００１７】
図２および図３に示すように、本体部２は、バックシート部材２３、および、バックシート部材２３上（すなわち、バックシート部材２３の着用者側）に重ねられて外縁部がバックシート部材２３に接合される吸収性シート部材２０を備える。図１および図３に示すように、吸収性シート部材２０は、長手方向の中央よりもやや後側（すなわち、図１中の下側）において着用者の股間部に対向する位置に、開口を形成するための線状の切り込み２５０を有する。平面視において切り込み２５０は、着用者の後側に対応する後方向に上側を向けた略Ｕ字状である。Ｕ字状の切り込み２５０の左右両側では、一対の起立ギャザー部３４１が吸収性シート部材２０の左右両側部上において長手方向に伸びる。
【００１８】
吸収性シート部材２０は、吸収性物品１の着用時に着用者の前側（腹側）に配置されるシート状の前部吸収体２２１、および、着用者の後側に配置されるシート状の後部吸収体２２３を備える。図１中では、図の理解を容易にするために、前部吸収体２２１および後部吸収体２２３のそれぞれの輪郭を太い破線にて描く（図４においても同様）。長手方向において前部吸収体２２１は切り込み２５０の前側に配置され、後部吸収体２２３は切り込み２５０の後側に配置され、前部吸収体２２１および後部吸収体２２３は、長手方向に間隔を空けて配列される。すなわち、切り込み２５０は、前部吸収体２２１と後部吸収体２２３との間において、吸収体が存在しない領域２００（以下、「吸収体非存在領域２００」という。）に形成される。
【００１９】
前部吸収体２２１および後部吸収体２２３は、矩形のシートを分割して形成されるため、２つの吸収体２２１，２２３において当該間隔を形成する（すなわち、吸収体非存在領域２００と接する）２つのエッジ２２１１，２２３１（以下、「吸収体エッジ２２１１，２２３１」という。）が、当該２つの吸収体２２１，２２３を近づけた際に互いに一致する。すなわち、前部吸収体２２１の吸収体エッジ２２１１と、後部吸収体２２３の吸収体エッジ２２３１とが同じ形状である。
【００２０】
より詳細には、図１に示すように、左右方向の中央にて、前部吸収体２２１の吸収体エッジ２２１１は、着用者の後側に対応する後方向に上側を向けた略Ｕ字状の部位を有し、前部吸収体２２１は、後部吸収体２２３から離れる方向に凹状となる凹状部２２１２を有する。また、左右方向の中央にて、後部吸収体２２３の吸収体エッジ２２３１も同様に、着用者の後側に対応する後方向に上側を向けた略Ｕ字状の部位を有し、後部吸収体２２３は、前部吸収体２２１に近づく方向に凸状となる凸状部２２３２を有する。平面視において、後部吸収体２２３の凸状部２２３２の一部は、前部吸収体２２１の凹状部２２１２内に配置される。以下の説明では、前部吸収体２２１および後部吸収体２２３をまとめて、「吸収体ペア２２」ともいう。
【００２１】
吸収性シート部材２０は、また、図２および図３に示すように、吸収体ペア２２のそれぞれの上面および下面（すなわち、前部吸収体２２１および後部吸収体２２３のそれぞれの着用者側およびバックシート部材２３側）を被覆する透液性の吸収体被覆シート２１を備える。吸収体被覆シート２１は、吸収体ペア２２の上面を覆う第１被覆シート２１１、および、吸収体ペア２２の下面を覆う第２被覆シート２１２を備える。吸収体非存在領域２００では、第１被覆シート２１１と第２被覆シート２１２とが積層されて接合される。
【００２２】
吸収体ペア２２は、粉砕したパルプ繊維やセルロース繊維等の親水性繊維と、粒状の吸水性ポリマー（例えば、ＳＡＰ（Super Absorbent Polymer））とを含む材料をシート状に圧縮した部材であり、吸収体被覆シート２１を透過した水分を吸収して迅速に固定する。本実施の形態では、吸収体ペア２２はパルプ繊維およびＳＡＰを含む。
【００２３】
吸収体被覆シート２１は、透液性のシート材料であり、着用者からの排泄物の水分を速やかに捕捉して吸収体ペア２２へと移動させる。吸収体被覆シート２１としては、例えば、表面を界面活性剤により親水処理した疎水性繊維（ポリプロピレン、ポリエチレン、ポリエステル、ポリアミド、ナイロン等）にて形成された透液性の不織布（ポイントボンド不織布やエアスルー不織布、スパンボンド不織布、エアレイド不織布等）が利用される。なお、吸収体被覆シート２１として、セルロースやレーヨン、コットン等の親水性繊維により形成された不織布（例えば、スパンレース不織布）が利用されてもよい。
【００２４】
吸収性シート部材２０は、図１および図２に示すように、左右方向の中央領域において長手方向に沿って前部吸収体２２１に接合される前部吸収体弾性部材２４１を備える。吸収性シート部材２０では、前部吸収体弾性部材２４１が収縮することにより前部吸収体２２１に長手方向の収縮力が作用する。後部吸収体２２３において、前部吸収体弾性部材２４１と同様の弾性部材が設けられてもよい。
【００２５】
吸収性シート部材２０は、また、図１に示すように、吸収体非存在領域２００の左右方向の両側に長手方向に沿って配置される一対の側部吸収体弾性部材２４２を備える。前部吸収体弾性部材２４１および側部吸収体弾性部材２４２としては、例えば、ポリウレタン糸、帯状のポリウレタンフィルム、糸状または帯状の天然ゴム等が用いられ、本実施の形態では、ポリウレタン糸が使用される。
【００２６】
本実施の形態では、各側部吸収体弾性部材２４２は、前部吸収体２２１の後方側部２２１３（すなわち、前部吸収体２２１の凹状部２２１２の左右の部位）と吸収体被覆シート２１の第２被覆シート２１２との間に配置され、前部吸収体２２１および第２被覆シート２１２に伸張状態にて接合されて前部吸収体２２１の後方側部２２１３に収縮力を作用させる。吸収性シート部材２０では、例えば、吸収体ペア２２の下面を覆う第２被覆シート２１２が、２枚の透液性の不織布を積層することにより形成されてもよい。この場合、側部吸収体弾性部材２４２や上述の前部吸収体弾性部材２４１は、当該２枚の不織布の間に接合されてもよい。これにより、これらの弾性部材の接合が容易とされる。
【００２７】
バックシート部材２３は、図２および図３に示すように、撥水性または不透液性の外装シート２３１、外装シート２３１上（すなわち、外装シート２３１の着用者側）に設けられた非常に薄い吸収シート２３３、並びに、外装シート２３１および吸収シート２３３上に積層された親水性シート２３２を備える。図２および図３では、図示の都合上、吸収シート２３３を太実線にて示している。
【００２８】
外装シート２３１としては、疎水性繊維（例えば、ポリプロピレン、ポリエチレン、ポリエステル、ポリアミド、ナイロン）にて形成された撥水性または不透液性の不織布（例えば、スパンボンド不織布やメルトブロー不織布、ＳＭＳ不織布）や、撥水性または不透液性のプラスチックフィルム、あるいは、これらの不織布とプラスチックフィルムとが積層された積層シートが利用され、バックシート部材２３に到達した排泄物の水分等が、本体部２の外側にしみ出すのを防止する。外装シート２３１にプラスチックフィルムが利用される場合、吸収性物品１のムレを防止して着用者の快適性を向上するという観点からは、透湿性（通気性）を有するプラスチックフィルムが利用されることが好ましい。
【００２９】
吸収シート２３３は、２枚のシート、および、当該２枚のシートの間に設けられた高吸収性樹脂層を備え、高吸収性樹脂層は、ＳＡＰ等の粒状の吸水性ポリマーおよびパルプ繊維をホットメルト接着剤により２枚のシートに固定することにより形成される。２枚のシートとしては、親水性繊維により形成される不織布、親水処理した疎水性繊維により形成される不織布、あるいは、ティッシュ等が利用される。高吸収性樹脂層（すなわち、粒状の吸水性ポリマー）は、上記２枚のシートの間で長手方向に伸びるストライプ状に配置される。換言すれば、長手方向に伸びる複数の高吸収性樹脂層のそれぞれの間に、吸水性ポリマーが存在しない領域が設けられる。そして、吸水性ポリマーが存在しない領域において２枚のシートが接合されることにより、複数の高吸収性樹脂層がそれぞれ封止される。
【００３０】
なお、吸収シート２３３に代えて、ＳＡＰ等の粒状の吸水性ポリマーを外装シート２３１上に散布し、ホットメルト接着剤等により外装シート２３１に接着することにより、高吸収性樹脂層が外装シート２３１上に直接形成されてもよい。また、親水性シート２３２としては、好ましくは、セルロースやレーヨン、コットン等の親水性繊維により形成された不織布（例えば、スパンレース不織布）、あるいは、表面を界面活性剤により親水処理した疎水性繊維（例えば、ポリプロピレン、ポリエチレン、ポリエステル、ポリアミド、ナイロン）にて形成された透液性の不織布が利用される。
【００３１】
図４は開口２５が形成された状態の吸収性物品１の平面図である。吸収性物品１が使用される際には、まず、図１の吸収性シート部材２０において、切り込み２５０により囲まれた部位２５１（すなわち、後部吸収体２２３の凸状部２２３２と重なる部位であり、以下、「折り返し部２５１」という。）が、図４に示すように後部吸収体２２３の他の部位の上側に（すなわち、後部吸収体２２３の着用者側の面と対向する位置に）折り返され、吸収性シート部材２０の着用者の股間部に対向する位置に開口２５が形成される。バックシート部材２３の開口２５から露出する露出領域２３４は、着用者の股間部に直接対向する。なお、図１の切り込み２５０は後部吸収体２２３の凸状部２２３２の周囲にて凸状部２２３２のエッジに沿う形状であり、凸状部２２３２の周囲において、第１被覆シート２１１と第２被覆シート２１２とが接合されるため、折り返し部２５１において、後部吸収体２２３および吸収体被覆シート２１の対応する部位は一体的に折り返される。図３では、折り返し部２５１を二点鎖線にて示している。
【００３２】
吸収性物品１では、上述のように、吸収性シート部材２０の外縁部がバックシート部材２３に接合され、吸収体ペア２２のバックシート部材２３と対向する面がバックシート部材２３と非接合とされる。このため、吸収性シート部材２０に開口２５が形成されることにより、前部吸収体２２１の凹状部２２１２よりも前側とバックシート部材２３との間（すなわち、吸収性シート部材２０の前部吸収体２２１に対応する部位とバックシート部材２３との間）の空間が、開口２５から着用者の前側に対応する前方向に広がる前部ポケットになる。また、前部吸収体２２１の後方側部２２１３近傍とバックシート部材２３との間の空間が、開口２５から左右方向に広がる一対の側部ポケットになる。さらに、前部ポケットと同様に、後部吸収体２２３とバックシート部材２３との間の空間が、開口２５から着用者の後側に対応する後方向に広がる後部ポケットになる。一対の側部ポケットは、前部ポケットおよび後部ポケットと連続している。以下の説明では、前部ポケット、後部ポケットおよび一対の側部ポケットをまとめて、「ポケット」ともいう。吸収性物品１では、ポケットは、開口２５から長手方向における前後両側および左右方向における両側（すなわち、前後両方向および左右両方向）に広がる。
【００３３】
図４に示す吸収性物品１では、着用者から排泄された軟便等の排泄物が、開口２５を介してバックシート部材２３へと向かい、バックシート部材２３の露出領域２３４にて受けられる。露出領域２３４にて受けられた排泄物は、前部ポケット、側部ポケットおよび後部ポケットの内部空間へと移動して収容される。本実施の形態では、開口２５が吸収性シート部材２０の長手方向の中央よりも後側に設けられる。このため、前部ポケットの長手方向の長さが後部ポケットの長手方向の長さよりも大きくなり、前部ポケットが、排泄物を主に収容する主ポケットとなる。
【００３４】
吸収性物品１では、上述のように、側部吸収体弾性部材２４２が収縮することにより、前部吸収体２２１の後方側部２２１３がバックシート部材２３から大きく離間する。これにより、開口２５近傍における吸収性シート部材２０とバックシート部材２３との間の厚さ方向の距離を大きく維持することができる。その結果、吸収性物品１では、排泄物を前部ポケット、側部ポケットおよび後部ポケットに確実に収容して保持することができ、排泄物が着用者の肌に広範囲に亘って付着することが防止される。
【００３５】
このように、吸収性物品１は、着用者の肌の比較的狭い範囲のみを覆うにも拘わらず排泄物を確実に収容して保持することができるため、使い捨ておむつ等の外装物品の内側に取り付けられて容易に交換可能な補助吸収具に特に適している。
【００３６】
ところで、吸収性物品１の着用者は、仰臥位や側臥位または座位等の体位を取ることが多いため、着用者の前側には体圧がほとんど加わらない。吸収性物品１では、上述のように、着用者の前側に配置される前部吸収体２２１とバックシート部材２３との間に形成された前部ポケットが、排泄物を主に収容する主ポケットとなる。したがって、吸収性物品１は、仰臥位や側臥位または座位等、様々な体位を取る着用者からの排泄物の収容に特に適しているといえる。
【００３７】
図１の吸収性物品１の製造では、複数の吸収体ペア２２となる予定の長尺の吸収体連続シートが長手方向である搬送方向に連続的に搬送される。吸収体連続シートは、プレス加工により１つの吸収体ペア２２に相当する部分に順次切断されるとともに、当該部分がプレス加工により搬送方向に交差する切断線にて切断され、前部吸収体２２１および後部吸収体２２３が形成される。当該切断線は、吸収体エッジ２２１１に一致する形状である。なお、１つの吸収体ペア２２に相当する部分への切断、および、前部吸収体２２１および後部吸収体２２３への切断はほぼ同時に行われてもよい。
【００３８】
続いて、前部吸収体２２１と後部吸収体２２３とが搬送されつつ搬送方向に所定距離だけずらされる。すなわち、前部吸収体２２１と後部吸収体２２３との間に間隙が設けられる。そして、前部吸収体２２１および後部吸収体２２３の上面が被覆シートの連続シートにて覆われるとともに、下面も被覆シートの連続シートにて覆われ（実際には、下面と連続シートとの間に、前部吸収体弾性部材２４１となる予定のポリウレタン糸、および、側部吸収体弾性部材２４２となる予定のポリウレタン糸が配置される。）、これらの連続シートが、ホットメルト接着剤等により互いに接合され、吸収性シート部材の連続シートが形成される。上面を覆う連続シートは、複数の第１被覆シート２１１となる予定のものであり、下面を覆う連続シートは、複数の第２被覆シート２１２となる予定のものである。
【００３９】
吸収性シート部材の連続シートでは、前部吸収体２２１と後部吸収体２２３との間にて切り込み２５０が形成される。その後、吸収性シート部材の連続シートの上面の両側部上には、一対のサイドシートの連続シートが接合され、吸収性シート部材の連続シートの下面にはバックシート部材の連続シートが接合される。このとき、吸収性シート部材の連続シートは、１つの吸収性シート部材２０の外縁部に相当する領域のみにおいてバックシート部材の連続シートと接合される。そして、吸収性シート部材の連続シートは、１つの吸収体ペア２２を含む部分に切断（分離）され、吸収性物品１が完成する。
【００４０】
以上に説明したように、吸収性物品１では、前部吸収体２２１の吸収体エッジ２２１１と、後部吸収体２２３の吸収体エッジ２２３１とが、前部吸収体２２１と後部吸収体２２３とを近づけた際に互いに一致し、吸収性物品１の製造において吸収体連続シートから切断して廃棄する部分を設けることなく、前部吸収体２２１と後部吸収体２２３とが形成される。また、被覆シートの連続シートから切断して廃棄する部分もない。これにより、吸収性物品１を製造する際の廃棄物の量を削減することができる。
【００４１】
吸収性物品１では、使用する際に、吸収性シート部材２０において、切り込み２５０により囲まれた折り返し部２５１が吸収性シート部材２０の上側に折り返されることにより、排泄物を収集するための開口２５が形成される。折り返し部２５１は、着用者の後側の肌に接するため、着用者の背部と後方部２０３との間から排泄物が漏れ出すことを防止することができる。また、吸収性物品１を廃棄する際に、折り返し部２５１を開口２５に被せる（すなわち、折り返す前の元の位置に戻す）ことにより、内部のポケット内の軟便等の漏出を抑制する蓋部材として用いることが可能である。
【００４２】
また、切り込み２５０により囲まれた折り返し部２５１が、一対のサイドシート３と部分的に重なることにより、折り返し部２５１を折り返して装着する際に、折り返し部２５１がサイドシート３と吸収性シート部材２０の他の部位との間に挟まれて元の位置に戻ることが阻害されるため、吸収性物品１を容易に装着することができる。
【００４３】
以上、本発明の実施の形態について説明してきたが、本発明は上記実施の形態に限定されるものではなく、様々な変更が可能である。
【００４４】
上記実施の形態では、吸収性シート部材２０の外形が矩形であるため、吸収性シート部材２０を容易に製作可能であるが、吸収性物品１の設計によっては、吸収性シート部材２０がバックシート部材２３と同様に、いわゆる砂時計型であってもよい。
【００４５】
吸収性シート部材２０の切り込み２５０はＵ字状であることにより、ポケットが容易に形成されるが、長手方向に交差する形状であるならば、Ｕ字状以外であってもよい。
【００４６】
吸収性物品１では、折り返し部２５１を後部吸収体２２３の上側に折り返さない状態でもポケットは形成されるため、吸収性物品１をこのような状態にて用いることも可能である。
【００４７】
折り返し部２５１が、吸収性物品の製造時に後部吸収体２２３の上側に折り返されることにより、開口２５が予め形成されていてもよい。
【００４８】
吸収性物品１では、排泄物の収容力を大きくするためには、吸収性シート部材２０とバックシート部材２３との間に前部ポケット、側部ポケットおよび後部ポケットが設けられることが好ましい。ただし、排泄物の収容力が十分確保されるのであれば、これらのポケットのうち、いずれかのポケットが省略されてもよい。
【００４９】
上述の吸収性物品の構造は、外装物品の内側に取り付けられる補助吸収具以外にも、例えば、上端に胴部開口を有し、下部に一対の脚部開口を有するパンツタイプの使い捨ておむつや、着用者の腹側に当接する部位と背側に当接する部位とを止着テープにより腰回りで止着して着用するテープタイプの使い捨ておむつに適用されてよい。
【００５０】
上記実施の形態および各変形例における構成は、相互に矛盾しない限り適宜組み合わせられてよい。
【符号の説明】
【００５１】
１    吸収性物品
３    サイドシート
２０    吸収性シート部材
２１    吸収体被覆シート
２３    バックシート部材
３２    起立ギャザー部弾性部材
２２１    前部吸収体
２２３    後部吸収体
２５０    切り込み
３４１    起立ギャザー部
２２１１，２２３１    吸収体エッジ
【図１】
2013123523.tif 000003
【図２】
2013123523.tif 000004
【図３】
2013123523.tif 000005
【図４】
2013123523.tif 000006